(57)【要約】      （修正有）【課題】少人数で容易にマストを設置することができるとともに、人が持ち込める程度の工具で撤去することもできるようにした測定機器設置用マストを提供する。【解決手段】地面１に固定すべき基盤部２と、この基盤部２から間隔を以って垂直に立設された２枚のマスト固定部４と、これらマスト固定部４間に固定されるべきマスト７とを備え、マスト固定部４の基部側と先端側に夫々下側及び上側のマスト固定穴５を穿設し、マスト７の基部に前記下側及び上側のマスト固定穴５に対応した下側及び上側の固定穴２０、２１を穿設し、基盤部２を地面に固定した状態で下側及び上側のマスト固定穴５のうちの一方を下側及び上側の固定穴２０、２１のうちの一方に軸止してマスト７を地面に垂直に起こし、下側及び上側のマスト固定穴５のうちの他方を下側及び上側の固定穴２０、２１のうちの他方に軸止してマスト７を固定する。【選択図】図３
0003216352.tif 000002
【実用新案登録請求の範囲】
【請求項１】
地面に固定すべき基盤部と、この基盤部から間隔を以って垂直に立設された２枚のマスト固定部と、これらマスト固定部間に固定されるべきマストとを備え、前記マスト固定部の基部側と先端側に夫々下側及び上側のマスト固定穴を穿設し、前記マストの基部に前記下側及び上側のマスト固定穴に対応した下側及び上側の固定穴を穿設し、前記基盤部を地面に固定した状態で下側及び上側のマスト固定穴のうちの一方を下側及び上側の固定穴のうちの一方に軸止ししてマストを地面に垂直に起こし、下側及び上側のマスト固定穴のうちの他方を下側及び上側の固定穴のうちの他方に軸止してマストを固定するよう構成したことを特徴とする測定機器設置用マスト。
【請求項２】
地面に固定すべき基盤部と、この基盤部から間隔を以って垂直に立設された２枚のマスト固定部と、これらマスト固定部間に固定されるべきマストとを備え、前記マスト固定部の基部側と先端側に夫々下側及び上側のマスト固定穴を穿設し、前記マストの基部に前記下側及び上側のマスト固定穴に対応した下側及び上側の固定穴を穿設し、前記基盤部を地面に固定した状態で下側及び上側のマスト固定穴のうちの一方を下側及び上側の固定穴のうちの一方に軸止ししてマストを地面に垂直に起こし、下側及び上側のマスト固定穴のうちの他方を下側及び上側の固定穴のうちの他方に軸止してマストを固定するよう構成するとともに、前記基盤部にアンカー用穴を穿設し、このアンカー用穴を貫通して地面に打設されるべきアンカーを有し、このアンカーは頭部を有する棒状に形成したシャフト部とこのシャフト部に前記頭部の側面から延出するよう形成されたプレート部を備え、このプレート部に引き抜き用の穴を設けたことを特徴とする測定機器設置用マスト。
【考案の詳細な説明】
【技術分野】
【０００１】      本考案は測定機器を地面より高い位置に設置するためのマストに関する。
【背景技術】
【０００２】    従来より風向風速計や積雪計などの測定機器を地面から高い位置に設置する場合、鋼管製のマストを地面に立てる工事が不可欠である。工事の手法としてはマストの高さによっても異なるが８ｍ程度の場合には、まず地面にアンカーパイプを打ち込みこのアンカーパイプにマストをクランプする。その後、マストに予め装着しておいたステーを地面に固定する。【０００３】  この方法では、最初にアンカーパイプを打ち込む際、打ち込み機を使用するか、あるいは重いハンマーを用いて人力で打ち込む必要がある。さらに、マストを垂直に立てる際に建柱車やクレーンによって吊り上げ、その根元をアンカーに固定する必要がある。
また、地面に打ち込んだアンカーパイプを引き抜くのは人力では無理があり何らかの動力装置を使うのが一般的である。
【考案の概要】
【考案が解決しようとする課題】
【０００４】    しかし、この種の測定機器は都市部に設置することは稀で、多くは未開発地域や山間部に設置するケースが多い。このため、設置や撤去に使用できる機材は極めて限定され、杭打込機や杭を引き抜くためのユンボなどを現場に持ち込むことはできない。【０００５】  また、これらを撤去する場合には、マストをアンカーパイプから外した後に不安定となったマストを横倒しにする必要があるが、この際に上部に設置された測定機器が破損する危険がある
本考案は少人数で容易にマストを設置することができるとともに、人が持ち込める程度の工具で撤去することもできるようにした測定機器設置用マストを提供することを目的とする。
【課題を解決するための手段】
【０００６】  本考案のマストを設置する場合には、まず基盤部を地面に固定した状態で下側及び上側のマスト固定穴のうちの一方を下側及び上側の固定穴のうちの一方に軸止する。軸支にはボルトナット等が利用できる。すなわちマストの横倒し状態でマストの基部が基盤部に軸止されることになるからこの状態でマストを地面に垂直に起こすことが容易にできる。【０００７】  マストを垂直に支えている状態で、下側及び上側のマスト固定穴のうちの他方を下側及び上側の固定穴のうちの他方に軸止する。軸支にはボルトナット等を用いる。
なお、最下側及び上側のマスト固定穴のうちの一方を下側及び上側の固定穴のうちの一方に軸止するとは、先に上側を軸支してもよいし下側を軸支してもよいという意味である。【０００８】  このようにマストを半固定状態にした後、ステーを張って本固定を行う。
なお、前記基盤部にアンカー用穴を穿設し、このアンカー用穴を貫通して地面にアンカーを打設することができる。このアンカーは頭部を有する棒状に形成したシャフト部とこのシャフト部に前記頭部の側面から延出するよう形成されたプレート部を備え、このプレート部に引き抜き用の穴を設けたものである。【０００９】  この構造を採ることで、アンカーを打ち込む際にはハンマーが頭部に当たり効率的に打ち込むことができる。一方、このアンカーを引き抜く際には引き抜き用の穴にハンドウインチなどのフックを引っ掛けて引くことで容易に引き抜ける。この場合アンカーを上方向に引く必要があるため単管を三脚状に組みその頂点にハンドウインチを下げてそのフックで引き抜けばよい。【００１０】  このように本考案によれば、特殊な機材を用いることなくマストの設置や撤去が可能となる。このため山間部など建設機械が入れない場所でも施工が可能である。
また、アンカーは打ち込み時には通常のハンマーが使用でき、またこれを抜く場合も特殊な機器は不要である。
【考案の効果】
【００１１】  本考案によれば，マストの下端を地面に軸止した状態で立ち上げや横倒しが可能となるため、施工に要する人員の削減を図ることができる。また施工中にマストが倒れるおそれもないため測定機材の破損等も未然に防止できる。
またマストの設置や撤去に建設機などが不要であるため山間地などでも実施が可能となる。
さらに、本考案のアンカーを使用するとアンカーの引き抜きが格段に容易となるため、更なる省力化が可能となる。
【図面の簡単な説明】
【００１２】
【図１】本考案に係る測定機器設置用マストの基盤部周辺を示す斜視図である。
【図２】本考案に係る測定機器設置用マストに使用するアンカー固定具を示す斜視図である。
【図３】本考案に係る測定機器設置用マストの施工過程の要部を示す側面図である。
【図４】本考案に係る測定機器設置用マストの施工過程の要部を示す側面図である。
【図５】本考案に係る測定機器設置用マストの施工過程を示す全体の側面図である。
【図６】本考案に係る測定機器設置用マストの完成状態における全体の側面図である。
【図７】本考案に係る測定機器設置用マストに用いるターンバックルを示す斜視図である。
【考案を実施するための形態】
【００１３】  図１は本考案に係る測定機器設置用マストの基盤部周辺を示し、地面１に固定すべき基盤部２は略正方形の鉄板で形成されており、四隅にアンカー用穴３が設けられている。
この基盤部２からは間隔を以って２枚のマスト固定部４、４が垂直に立設されている。このマスト固定部４、４は図１に示すように断面コ字状に形成した鉄板であり、相互に向かい合わせた状態で基盤部２に溶接されている。
【００１４】  そして向かい合った平面部にマスト固定部４、４の基部側と先端側に、夫々下側及び上側のマスト固定穴５、６が夫々穿設されている。
これらマスト固定部４、４の間隔はマスト７の外径と同じに設定されており、図３および図４に示すようにマスト固定部４、４の間にマスト７が保持される構造になっている。
【００１５】  この基盤部２は図２に示すアンカー１０によって地面１に固定される。アンカー１０は、頭部１１を有する棒状に形成したシャフト部１２とこのシャフト部１２に前記頭部１１の側面から延出するよう溶接されたプレート部１３からなっている。このプレート部１３には引き抜き用の穴１４が設けられているとともにプレート部１３の下部はシャフト部１２にリング状に設けられた補強板１５に溶接されている。
【００１６】  アンカー１０は図３に示すようにアンカー用穴３を通して地面１に固定される。
前記マスト７の基部には前記下側及び上側のマスト固定穴５、６に対応した下側及び上側の固定穴２０、２１が穿設されている。またマスト７の先端部には気象測定機器３０が取り付けられている。
【００１７】  前記した器具を用いてマスト７を立てるには、図３ないし図６に示すように、前記基盤部２をアンカー１０によって地面１に固定した状態で、横倒しになっているマスト７の基部をマスト固定部４、４の間に挿入し上側のマスト固定穴６と固定穴２０とを合わせた状態にする。続いてマスト固定穴６と固定穴２１とをボルト２２で貫通する。こうすることで図５に示すようにボルト２２を軸としてマストを地面に垂直まで起こすことが可能となる。
【００１８】  そして矢示Ｆ方向にマスト７を起こしてゆき、図４に示す垂直状態となった時点で下側のマスト固定穴５と固定穴２１とが合致するから、ボルト２３を挿入して固定する。
続いて、マスト７にステー４０を連結フランジ４１を介して取り付け、このステー４０の下端を地面１に固定する。固定に際しては図７に示すターンバックル留め金４２を用いる。このターンバックル留め金４２は一般のターンバックルにワイヤー外れ止め機能を付加したものである。
【００１９】  フック部４３と螺糸部４４を有する本体部に断面「コ」字型に形成したワイヤー抜け止め部材４６を挿入してある。このワイヤー抜け止め部材４６は螺糸部４４に挿入したブッシュ４５で抜け止めがなされておりこのブッシュ４５はナット４７で固定されている。つまり図７に示すようにワイヤー抜け止め部材４６はフック部４３の開口部分を閉じるように作用し、暴風等によってステー４０が外れることを防止するようになっている。
【００２０】  以上述べたように本考案によれば、建設機械などを用いることなくマストの設置や撤去が可能となる。
また、アンカーは打ち込み時には通常のハンマーが使用でき、またこれを抜く場合も建設機械などは不要である。
このように山間部など建設機械が入れない場所でも施工や撤去が容易である。
【符号の説明】
【００２１】      １  地面
２  基盤部
３  アンカー用穴
４  マスト固定部
５  マスト固定穴
６  マスト固定穴
７  マスト
１０アンカー
１１頭部
１２シャフト部
１３プレート部
１４引き抜き用の穴
１５補強板
２０固定穴
２１固定穴
２２ボルト
２３ボルト
３０気象測定機器
４０ステー
４１連結フランジ
４２ターンバックル留め金
４３フック部
４４螺子部
４５ブッシュ
４６ワイヤー抜け止め部材
４７ナット
【図１】
0003216352.tif 000003
【図２】
0003216352.tif 000004
【図３】
0003216352.tif 000005
【図４】
0003216352.tif 000006
【図５】
0003216352.tif 000007
【図６】
0003216352.tif 000008
【図７】
0003216352.tif 000009